(57)【要約】      （修正有）【課題】タバコ置換物として、又は、喫煙者が感じるニコチン依存に取り組むために、喫煙者に喫煙を断念させるのに役立つ模擬喫煙装置を提供する。【解決手段】実質的に円筒形のタバコのような形状を有し、一端に吸入出口及び他端に補充入口を有する細長いハウジング３と、ハウジングの実質的部分に沿って延び、且つ前記補充入口に隣接する補充弁を有する貯蔵器と、前記補充出口に隣接する出口弁とを有する模擬タバコと、補充装置とを備えており、補充装置は、模擬タバコのための補充ガスを含んでいるタバコ箱のような形状で実質的に立方形のハウジングを有し、且つ模擬タバコを選択的に保持するための手段を持つ構成とする。【選択図】図１
2014000419.tif 000002
【特許請求の範囲】
【請求項１】
実質的に円筒形のタバコのような形状を有する模擬タバコと、
前記模擬タバコのための補充ガスを含み且つタバコ箱のような形状で実質的に立方形のハウジングと、前記模擬タバコを選択的に保持するための手段と、を有する補充装置と、
を備えている、ことを特徴とする、模擬喫煙装置。
【請求項２】
前記模擬タバコは、
一端に吸入出口及び他端に補充入口を有する細長いハウジングと、
前記ハウジングの実質的部分に沿って延び且つ前記補充入口に隣接する補充弁を有する貯蔵器と、
前記補充出口に隣接する出口弁と、
を有しており、
前記補充出口は、前記補充装置からのガスが前記補充装置を横断し且つ前記吸入出口から排出できるように、作動可能である、
請求項１に記載の模擬喫煙装置。
【請求項３】
前記補充装置は、出口及びそれに関連する貯蔵器出口弁を有するガス貯蔵器を備えており、
前記模擬タバコの前記補充弁は、前記補充装置の前記貯蔵器から前記模擬タバコの前記貯蔵器への流路を開くように、前記貯蔵器出口弁と協働するように配置されている、
請求項２に記載の模擬喫煙装置。
【請求項４】
前記補充装置が、前記模擬タバコが補充される回数を登録し且つこのことをユーザーに表示する服用量カウンターを備えている、
請求項１〜３のいずれか１つに記載の模擬喫煙装置。
【請求項５】
前記模擬タバコを選択的に保持するための前記手段は、前記模擬タバコが補充される位置とは異なる位置で前記模擬タバコを保持するように、構成されている、
請求項１〜４のいずれか１つに記載の模擬喫煙装置。
【請求項６】
前記模擬タバコを選択的に保持するための前記手段は、前記ハウジング内に前記模擬タバコを全体的に収容するように構成されている、
請求項１〜５のいずれか１つに記載の模擬喫煙装置。
【請求項７】
請求項１〜６のいずれか１つに記載の模擬喫煙装置のための補充装置であって、
前記補充装置は、
前記模擬タバコのための補充ガスを含んでいるタバコ箱のような形状を有する実質的に立方形のハウジングと、
前記模擬タバコを選択的に保持するための手段と、
を持っている、補充装置。
【請求項８】
模擬タバコと、
前記模擬タバコのための補充ガスを含み且つ前記模擬タバコを選択的に保持するための手段を有している補充装置と、
を備えており、
前記補充装置が、更に、前記模擬タバコが補充される回数を登録し且つこのことをユーザーに表示する服用量カウンターを備えている、模擬喫煙装置。
【請求項９】
請求項８に記載の模擬喫煙装置のための補充装置であって、
前記補充装置が、前記模擬タバコのための補充ガスを含んでおり、前記模擬タバコを選択的に保持するための手段を持っており、前記模擬タバコが補充される回数を登録し且つこのことをユーザーに表示する服用量カウンターを備えている、補充装置。
【請求項１０】
模擬タバコと、
前記模擬タバコのための補充ガスを含んでおり、且つ前記模擬タバコが補充される位置とは異なる位置で前記模擬タバコを選択的に保持するための手段を備えている、補充装置と、
を備えている、模擬喫煙装置。
【請求項１１】
請求項１０に記載の模擬喫煙装置のための補充装置であって、
前記補充装置が、前記模擬喫煙装置のための補充ガスを含んでおり、且つ前記模擬タバコが補充される位置とは異なる位置で前記模擬タバコを選択的に保持するための手段を備えている、補充装置。
【請求項１２】
模擬タバコと、
前記模擬タバコのための補充ガスを含んでいるハウジングを備えており、且つ全体的に前記ハウジング内にある前記模擬タバコを選択的に保持するための手段を備えている、補充装置と、
を備えている、模擬喫煙装置。
【請求項１３】
請求項１２に記載の模擬喫煙装置のための補充装置であって、
前記補充装置は、前記模擬タバコのための補充ガスを含んでいるハウジングを持っており、且つ全体的に前記ハウジング内にある前記模擬タバコを選択的に保持するための手段を備えている、補充装置。
【発明の詳細な説明】
【技術分野】
【０００１】
本発明は、模擬タバコ装置及び補充品ユニットを備えるシステムに関する。
【発明の概要】
【発明が解決しようとする課題】
【０００２】
喫煙が１年当たり３−４百万人を殺していると共に世界における喫煙者の数が毎年増加していると、世界保険機構によって推測されている。ニコチン置換治療は西洋諸国においてより広範囲になったが、多くの者が予測していたような喫煙者にやめさせる点での広範囲の影響は、依然として持っていない。更に、現在の喫煙者及び元喫煙者が、現在のＮＲＴ治療が非実用的、不満足、又は異常であることを知っているので、彼らはＮＲＴに満足しておらず、６７％の者が断念している。喫煙に慣れている者にとって、タバコ及びその箱のスタイル及び機能を再現するような、喫煙と同一の習慣的パターンを再現する装置の必要が増大している。更に、ユーザーが彼の望みに応じて、喫煙者の味および知覚のニーズを満たすシステム、及び決まった量のニコチンを送り出すシステムのための必要があることが、ますます明白になっている。したがって、本発明の目的の１つは、それゆえに、生理的渇望だけでなく習慣的な渇望を満たすことができる非発ガン性のタバコを提供することであり、非発ガン性のタバコは、ニコチン置換療法の社会的に受け入れられる形態になりえる。本発明の更なる目的は、ニコチン置換療法のより便利で手頃で慣習的な形態の、装置及び補充品を提供することであり、その装置及び補充品は、より早く代理のニコチンを送達し、特に小売店における喫煙箱の表示を禁止する代わりに、存在している喫煙の小売り形態に急速に組み込むことができるだろう。
【０００３】
公共の場所におけるタバコの喫煙における制限が大きくなっており、喫煙の生理的作用を再現できる装置の余地があり、その装置は、すべての公共の場所で用いることができるように社会的に許容される。また、喫煙できない形態でニコチンを分配するのに使用できる装置の必要があり、その装置は、タバコ置換物として、又は、喫煙者が感じるニコチン依存に取り組むために、喫煙者に喫煙を断念させるのに役立つ。ニコチン置換のプロセスで有益な効果があると知られているので、酸素のような他のガス状物質が分配されてもよい。
【０００４】
（背景技術）
多くの模擬タバコ装置が公知であり、例えば、米国3,631,856、3,721,240及びドイツ4030257である。これらのすべては、補充品容器から補充可能である。
【０００５】
国際公開01/49349は、容器の中に酸素が蓄えられている酸素送達装置を開示しており、その容器は、その後装置から除去され、補充又は交換される。一方、補充が実際にどのように実行されるかの指摘はない。
【０００６】
米国3,045,671は、補充バルブを通じてチャンバーに通じる装置の端部に、概して円筒状カプセルを有するカートリッジホルダーをねじ込むことによって補充できるチャンバーを有する携帯用吸入器を開示している。この吸入器は、医療目的のための酸素の緊急供給を提供することを意図しており、模擬タバコ装置としては構成されていない。
【０００７】
米国4,171,000は、繊維貯蔵物質で満たされているチャンバーを有する模擬タバコ装置を開示している。吸い込まれる混合物を含んでいる円筒状の圧力容器は、ユーザーによって貯蔵物質が吸い込まれるように、圧力容器から物質を分配するように、このチャンバーの方に移動できる。
【課題を解決するための手段】
【０００８】
本発明によれば、実質的に円筒状のタバコのような形状を有する模擬タバコと、模擬タバコのための補充用ガスを含んでいるタバコ箱のような形状を有する実質的に立方体のハウジングを有する補充装置と、模擬タバコを選択的に保持するための保有手段と、を備える模擬喫煙装置が提供される。
【０００９】
タバコに似ている模擬タバコ及びタバコ箱に似ている補充装置を構成することによって、本発明は緊密に喫煙経験を再現する。それゆえ、タバコユーザーは、タバコとタバコ箱に見える生産物をより快適に購入するかもしれない。また、この発明は、それらが箱からタバコを取り出し、タバコから吸入する儀式を再現することを可能にする。平凡な喫煙タバコをライターを用いて点火するような、プロセス、習慣、及び動作において、同様の補充の儀式を、ユーザーに許容する。本発明は、それゆえ、信用できる喫煙代用品として喫煙者から承認をずっと得られそうであり、喫煙のための慣習的な店頭の小売り販路において、急速に売り出すことに適しているかもしれない。
【００１０】
補充ハウジングは、４４から１７６ｍｍの高さと、２１から１１２ｍｍの幅と、８から６０ｍｍの深さとを有している。より好ましくは、高さが８０から１２０ｍｍであり、幅が２０から６０ｍｍであり、深さが１５から３０ｍｍである。最良には、標準的に売られている２０本のタバコの箱に対応するように、高さが８８ｍｍであり、幅が５６ｍｍであり、深さが２４ｍｍである。
【００１１】
模擬タバコ装置は、一端に吸入出口及び他端に補充入口を有する細長いハウジングと、ハウジングの実質的部分に沿って延び且つ補充入口に隣接する補充弁を有する貯蔵器と、補充出口に隣接する出口弁とを有しており、補充出口は、貯蔵器からのガスが、貯蔵器を横断し且つ吸入出口から排出できるように、作動可能である。
【００１２】
補充装置は、好ましくは、出口及びそれに関連する貯蔵器出口弁を有するガス貯蔵器を備えており、タバコ装置の補充弁は、補充装置の貯蔵器からタバコ装置の貯蔵器への流路を開くように、貯蔵器出口弁と協働するように配置されている。
【００１３】
装置及び補充ユニットの組み合わせは、使用のパターンに応じて、補充ユニットを補充又は交換する必要が発生する前に、多くの日数の間続くための十分な容量を持っている。補充ユニットそれ自体がそこから補充される貯蔵器は、例えば、自動販売機、又は、ユーザーが家で又は自動車の中に保持でき、いつでも持ち運ぶ必要がないような高圧シリンダーとできる。しかし、現在の優先傾向は、補充ユニットを補充可能にするよりもむしろ、代わりの補充ユニットを売ることにある。
【００１４】
貯蔵器は、好ましくは、５００立方ミリメートルから１００００立方ミリメートルの間の体積を有しており、もっと好ましくは、２２００立方ミリメートルから２６００立方ミリメートルの間である。ニコチン、溶媒、高圧ガス、及び酸素を含んでいる、標準的な加圧溶剤は、好ましくは２−１５０バールの圧力であり、もっと好ましくは５−２０バールの圧力であり、最良には６バールの圧力である。酸素を高い割合で含む溶剤は、好ましくは、５−１５０バールの間の圧力であり、好ましくは２０から２５バールの間の圧力である。
【００１５】
貯蔵器が補充を必要とする前に、装置は、一般的に、８から２４回吹くことを提供できる。
【００１６】
補充ユニットは、好ましくは、１００００立方ミリメートルから１０００００立方ミリメートルの間の体積を有しており、もっと好ましくは、４００００立方ミリメートルから５００００立方ミリメートルの間である。標準的な補充溶剤は、２−１５０バールの圧力であり、もっと好ましくは５−２０バールの圧力であり、最良には６−８バールの圧力である。
【００１７】
補充ユニットは、一般的に、補充を必要とする前に、８０から１０００回吹くことを提供でき、もっと好ましくは１２０から２００回吹くことを提供できる。
【００１８】
組成物は、好ましくは、酸素、ニコチン又はその誘導体又はニコチン塩、酸化防止剤、芳香及び／又は風味成分、高圧ガス、及び溶剤である。それは、認識促進添加剤を含んでいても良い。組成物の詳細は、同時係属中の英国0712308.6内に与えられている。
【００１９】
更に、貯蔵器は、タバコのライターを連想させる慣習的な手作業にそっくりな、補充箱の上面又は側面に置かれたトリガー又は押し込みボタンによって作動する圧縮ポンプのような手動ポンプを提供できる。一定の服用量及び圧力が維持されて送達されるので、このことは、貯蔵器を準備し、調整し、且つ再加圧することに役立つ。
【００２０】
好ましくは、補充ユニットは、模擬タバコが補充される回数を登録し且つこのことをユーザーに表示する服用量カウンターを備えている。このことは、ユーザーが空の補充箱から模擬タバコを補充しないようにするため、補充がガスを使い切っていることの明確な視角表示を与える。また、現在の補充がガスを使い切る前の十分な時間内に、ユーザーが新しい補充を購入することを許容する。
【００２１】
この形態は、本発明の独立した態様を形成しており、模擬タバコと、模擬タバコのための補充ガスを含み且つ模擬タバコを選択的に保持するための補充装置とを備える模擬喫煙装置のような幅広い用語において画定されるものであり、補充装置は更に、模擬タバコが補充される回数を登録し且つユーザーにこのことを表示する服用量カウンターを備えている。
【００２２】
この装置は、模擬タバコを選択的に保持するための手段が、補充位置において模擬タバコを保持するように構成されても良い。しかし、好ましくは、模擬タバコを選択的に保持する手段は、模擬タバコが補充される位置とは異なる位置で模擬タバコを保持するように、構成されている。
【００２３】
模擬タバコが蓄えられる位置と模擬タバコが補充される位置とを分離することは、使用の利便性のためにタバコが蓄えられる方法における自由度を設計者に許容し、同時に、補充装置からの出口が便利な位置とされることを許容する。また、それは、本当のタバコ及び箱の体験が、ずっと正確に再現されることを許容する。
【００２４】
この形態は、本発明の独立した態様を形成しており、模擬タバコと、模擬タバコ装置のための補充ガスを含み且つ模擬タバコが補充される位置とは異なる位置でタバコ装置を保持するように模擬タバコを選択的に保持するための手段を有している補充装置と、を備える喫煙装置のような幅広い用語において画定されるものである。
【００２５】
好ましくは、模擬タバコを選択的に保持するための手段は、ハウジング内に模擬タバコを全体的に収容するように構成されている。
【００２６】
ハウジング内に模擬タバコを全体的に収容することは、従来のタバコ包みとずっと同種の構成を提供する。
【００２７】
この形態は、本発明の独立した態様を形成しており、模擬タバコと、模擬タバコのための補充ガスを含んでいるハウジングを有し且つハウジング内に模擬タバコを全体的に収容するための手段を有する補充装置とを備えている、模擬喫煙装置のような幅広い意味において画定されるものである。
【００２８】
本発明は、また、上述した本発明の態様のいずれか１つに記載の模擬喫煙装置と一緒に使用するための補充装置にも及んでいる。
【００２９】
また、本発明の１つの態様の好ましい特徴は、本発明の他の態様にも、等しく適用される。
【００３０】
補充ユニットは、好ましくは、ガスの単一のシリンダーを備えているが、都合の良いサイズの箱の中により多くのガスを収容できるように、少なくとも２つのシリンダーをも備えることができる。
【００３１】
２つのシリンダーが備えられるとき、ユーザーが一方又は他方のシリンダーからタバコ装置を満たすように、２つのシリンダーは完全に分離されても良い。一方のシリンダーは、補充ユニットの外側からアクセス可能であっても良く、他方のシリンダーは、補充ユニットの内側からアクセス可能であっても良い。シリンダーは、同じ配向にされても良く、互いに対して反対に配置されても良い。しかし、好ましくは、タバコ装置が両方のシリンダーから同時に充填されるように構成されるように、導管システム及び弁システムが設けられている。
【００３２】
補充ユニットは、タバコ装置がそれを通って充填される第１のガス通路と、補充ユニットがそれを通って補充される第２のガス通路とを、備えても良い。しかし、好ましくは、タバコ装置は、補充ユニットを補充するために用いられる同一のガス通路を通って充填される。
【００３３】
酸素を有するタバコ装置は、同時係属中の英国0712304.5及び0712306.0の目的を形成している。
【００３４】
本発明に係る装置及びシステムの一例が、添付の図面を参照して記述されている。
【図面の簡単な説明】
【００３５】
【図１】補充ノズルを示す、装置を通る断面図である。
【図２Ａ】閉位置にある補充バルブを備える装置の遠位端を通る断面図である。
【図２Ｂ】開位置にある補充バルブを備える図２Ａと同様の図である。
【図３】近位端での呼吸活性化弁を示す断面図である。
【図４】呼吸活性化弁の代替設計を示す図３に類似する図である。
【図５】図４におけるＶ−Ｖ線を通る断面図である。
【図６】第１の補充ユニットの断面図である。
【図７】第２の補充ユニットの図６に類似する図である。
【図８】第３の補充ユニットを示す断面図である。
【図９Ａ】収容位置における模擬タバコを有する第４の補充ユニットを示す断面図である。
【図９Ｂ】補充位置における模擬タバコを有する補充ユニットをを示す図９Ａに類似する図である。
【図１０】服用量カウンターの分解組立斜視図である。
【図１１Ａ】作動の諸工程における服用量カウンターを通る断面図である。
【図１１Ｂ】作動の諸工程における服用量カウンターを通る断面図である。
【図１１Ｃ】作動の諸工程における服用量カウンターを通る断面図である。
【発明を実施するための形態】
【００３６】
システムは、２つの主要部品、すなわち図１から図５に示される模擬タバコ装置１と、図６から図８に示される補充ユニット２と、を備えている。
【００３７】
模擬タバコ装置１が、まず説明される。これは、細長い中空の円筒状ハウジング３を備えている。このハウジングの一端は補充端４であり、反対側の端部は吸入端５である。補充端４にある逆止弁６は、以下でより詳細に記述される。これは、装置の長さの実質的部分に沿って延びている貯蔵器７に通じている。図１に示されるように、貯蔵器は、円筒状ハウジング３の中にしっかりと固定されている円筒状スリーブ８によって画定されている。しかし、それは、円筒状ハウジング３自体によって画定できるかもしれない。補充端４に対する貯蔵器７の反対側の端で、装置に沿う経路の約４分の３が、以下でより詳細に記述される呼吸活性化出口弁９である。これは、吸入端５のある出口に通じている。貯蔵器７は、逆止弁６を通るガスで周期的に充填される。その後、ユーザーは、貯蔵器７から服用量のガスを引き出すために、呼吸活性化弁９を周期的に開く吸入端５を、吸う。
【００３８】
逆止弁６が、今、図２Ａ及び図２Ｂを参照して、より詳細に説明される。逆止弁は、バネ１３によって弁座１２に対して付勢される弁要素１１を備えている。バネ１３は、ガスの通過を許容するように開いているバネ支持体１４によって、その反対側の端に支持されている。補充端４は、弁要素１１の上流に補充弁座１５を持っている。貯蔵器を補充するために、補充ノズル１４は、装置１の補充端４内に挿入されている。補充ノズルの端が、補充プロセスの間、貯蔵器の端を密閉するように弁座１５を密閉している間、補充ノズル１４は、弁座１５から弁要素１１を引き上げるように弁要素１１を押している。図１に示されるように、補充バルブ１４が弁要素１１に対して押されたときに、補充バルブ１４が自動的にガスを分配するように、補充バルブ１４はバネ止めされている。あるいは、独立したガス開放機構が、補充装置のために備えられても良い。
【００３９】
補充ノズル１４が引っ込められると、バネ１３は貯蔵器７の端を密閉するように弁要素１１を弁座１５上に押し返す。
【００４０】
呼吸活性化弁９が、今、図３を参照して説明される。呼吸活性化弁９は、貫通孔１７を有する細長いロッドの形をしている弁要素１６を備えている。この貫通孔１７は、貯蔵庫７に通じている筒状出口１８内に位置している。図３に示される位置において、貫通孔１７は筒状出口１８に対して垂直であり、それにより筒状出口１８を通過する流れを阻止する。弁要素１６が９０度回転するとき、貫通孔１７が、貯蔵器７からの流れを許容する筒状出口１８と一直線上に並ぶ。
【００４１】
弁要素１６は、一対の付勢バネ１９によって図３に示される閉位置に保持されている。弁要素１６のどちらかの端には、羽根システム２０がある。羽根システム２０の上流に、一対の傾斜入口２１がある。傾斜入口２１を通って流れる空気が、付勢バネ１９の作用に逆らって開位置に弁要素１６を回転させるような方法で羽根システム２０に影響を及ぼすように、一対の傾斜入口２１は配置され且つ配向されており、それにより呼吸活性化弁９を開く。このように、呼吸活性化弁９は、装置１の吸入端５を吸うユーザーによって、活性化される。吸引が停止すると、付勢バネ１９は呼吸活性化弁９を閉鎖する。
【００４２】
図３に見られるように、吸引端５の方へ流れる２つの流れがある。これらは、矢２２で示される筒状入口２１からの外気流れと、参照符号２３で示される貫通孔１７を通過する貯蔵器７からの流れとであり、一対の流出流れ開口部２４が、ある割合の外気流れ２２を流れ２３内に流すと共に、吸入端５に向かう流れを促進するように傾斜する方向に向けられている。貯蔵器７からのガスが特に冷たくなるようになっており、それゆえ、そのガスは流れ２０からの外気によって薄められる。吸入端５に、外部流れ通路用環状フィルター要素２６及び貯蔵器７からの流れ用の中央フィルター要素２７を適切な位置に保つスクリーン２５がある。これらは、外部の破片が装置１に入り込むのを防止する。
【００４３】
別構成の呼吸活性化弁が、今、図４及び図５を参照して説明される。
【００４４】
吸入端５のほとんどの構成要素は、上述されたものと同一であり、同一の参照符号を用いて示されている。弁機構だけが異なっている。弁機構は、図４に示される第１位置に、各平衡バネ２９によって回転可能に取り付けられ且つ付勢される一対の板２８を備えている。各板２８から概して垂直に拡張しているものが、シール要素３０である。シール要素３０は、密閉を提供するために、好ましくは、エストラマーのような一定の弾力を有する材料、又は、端部に弾力のある先端を有する剛体材料で、作られる。シール要素３０は、出口１８を通る流れ経路を密閉するために、出口１８の中央にある。装置１において、傾斜入口２１からの空気は、図４に示される位置から板２８を下方に回転させる板２８に影響を及ぼしており、それにより、シール要素３０を分割し、貯蔵器７からの流れを許容している。吸引が停止するとき、板２８は、図４に示される開始位置に戻るように促され、筒状出口１８は再度密閉される。
【００４５】
補充ユニットの第１実施例が、今、図６を参照して説明される。
【００４６】
補充ユニットは、タバコ箱とほぼ同じ大きさ且つほぼ同じ形状をしている。補充ユニットは、実質的に立方形の構成を有している。実質的に立方体の形状を提供している限り、厳密に立方形の形状からのいくらかの逸脱が許されることは、理解されるだろう。例えば、補充ユニットがユーザーのポケット内により容易に入るように、縁部が丸いか、又は補充ユニットがわずかに湾曲した構成を有していてもよい。このような変形は、とりわけ、実質的に立方形のタバコ箱状の形状のための要求内にあると考えられる。補充ユニットは、タバコ装置１が使用されていないときにタバコ装置１をその中に蓄えることができる凹部３１を備えている。補充ユニットは、凹部３１のいずれか一方の側に置かれている一対のガスシリンダー３２を備えている。
【００４７】
各ガスシリンダー３２は、同一の構造を有している。各ガスシリンダー３２は、弁要素３３を備える入口／出口弁を備えており、弁要素３３は付勢バネ３５によって弁座３４へ付勢されており、付勢バネ３５はバネ支持体３６に支持されている。
【００４８】
補充ユニット２からタバコ装置１を充填するために、及び、補充ユニット２自体を補充するために、導管システムが、入口／出口３７とガスシリンダー３２との間を連通させるように、備えられている。導管システムは、入口／出口３７から２つのガスシリンダー３２へと導くバネ調整管３８の形態を取っている。バネ調整管３８は、一対のノズル３９を備えており、各ノズル３９はそれぞれの弁要素３３に対して押すように構成されており、各ノズル３９は複数の開口部４０を備えており、開口部４０はガスシリンダー３２の内部空間とバネ調整管３８の内部空間との間を連通させる。バネ４２によって閉位置に通常付勢されている管弁４１が、入口／出口３７に隣接している。ノズル３９に類似する管ノズル４３が、弁４１に付属している。
【００４９】
未使用の構成では、バネ調整管３８はバネ４４によって補充ユニットの底面に密接する位置に付勢されている。このとき、弁要素３３は、弁要素３３が管弁４１であるかのように据え付けられており、おのおのは、それぞれのバネによってその閉位置に付勢されている。タバコ装置１が入口／出口３７の中に挿入されているとき、タバコ装置１上の逆止弁６は、上述するように、開いている。管弁４１は開位置に押し込まれ、バネ調整管３８の全体が、バネ４５によって支援される図６に示される位置に、持ち上げられる。このことは、ノズル３７に、弁要素３３を弁座３４から持ち上げさせる。ガスシリンダー３２がタバコ装置よりも高圧であるので、空気が貯蔵器７内に流れる。各ガスシリンダー３２は、タバコ装置を１４回補充するのに十分な圧力のガスを持っている。
【００５０】
ガスシリンダー３２がガス欠であるとき、補充ユニットは、処分され、理想的にはリサイクルに回され、且つ、新しいユニットに交換されてもよい。あるいは、ガスシリンダー３２は、補充可能でもよい。これは、ガスシリンダー３２からタバコ装置１を補充するのに使われるのと同様の機構を用いて行われる。このことを行うために、（図示せぬ）高圧ガス源が、タバコ装置が挿入され且つ同一の流れ経路が開かれるようなやり方で、入口／出口３７の中に配置される。高圧ガス源がガスシリンダー３２よりも高圧なので、ガスシリンダー３２は補充される。これが、ガスシリンダー３２が第１の使用のために充填される方法でもある。
【００５１】
例えば、高圧ガス源は、ユーザーがそこから彼らのガスシリンダーを補充できるように自動販売機で提供されても良く、又はユーザーが彼らの家又は車の中で保持できるガス缶であってもよい。
【００５２】
図７は、第２の補充ユニット２を示している。これは、第１の補充ユニットに類似しているが、この場合、タバコ装置が凹部３１内にあるときに、タバコ装置を補充するように設計されている。このように、管弁４１及び管ノズル４３は、図６におけるそれらの位置を逆さまにしており、対応する調整が機構の残りで行われる。これは、タバコ装置１が補充ユニットの中にあるときに、タバコ装置１が自動的に補充されることを可能にしている。
【００５３】
第３の補充ユニットが、図８に示されている。このユニットは、ヒンジ４８でヒンジ式に取り付けられる蓋４７を有するケーシング４６を備えている。蓋４７が開いているとき、タバコ装置１は、凹部３１内に挿入でき且つ凹部３１から除去できる。補充ユニットは、図６に関連して説明されているシリンダーにしたがって構成されている、単一のシリンダー３２を含んでいる。この実施例は単に単一のシリンダーを備えるのみなので、タバコ装置１及び高圧ガス源が弁要素３３を直接的に押すように、入口／出口３７はノズル３９の直ぐ下にある。
【００５４】
第４の補充ユニット５０及びタバコ装置５１が、図９から図１１に示されている。前の実施例のように、補充装置５０は、タバコ箱によく似るような形状及び寸法のハウジング５２を有している。ハウジング５２は、ハウジングの上部の角を塞ぐ蓋５３を有している。蓋５３は、ヒンジ５４を用いてハウジング５２に取り付けられており、蓋５３は、ハウジング５２上の補充面５６に対応するアーチ形面５５を有している。
【００５５】
タバコ装置５１は凹部５７内に保持されており、図９Ａに示されるように、蓋５３が閉じられているとき、タバコ装置５１が全体的に包み込まれている。単一シリンダー５９はハウジング内に設けられており、単一シリンダー５９は吸気可能な組成物を備えている。ハウジング５２は、補充開口である開口６０を有している。これは、輸送及び保管の間に汚れの侵入を防ぐ剥離式膜によって保護されても良い。板６１は、ハウジングの壁に隣接して配置され、シリンダー５９の弁軸６３を露出させるように、バネ６２の作用に逆らって押し下げることができる。これは、はじめの実施例に関して上述したように、タバコ装置５１が補充されることを可能にする。
【００５６】
ハウジング５２は、以下で図１０及び図１１に関連してより詳細に説明される服用量カウンターのための、図９Ａ及び図９Ｂに模式的に示される窓Ｗを有している。
【００５７】
板６１は、複数の溝６５を有する従属縁６４を持っている。板６１は、中空の円筒状ハウジング６６の中に配置されており、円筒状ハウジング６６は端部に切欠き部６７を有しており、前記端部に、歯車６８が軸６９の周りに回転するように取り付けられている。
【００５８】
円筒状ハウジング６６は、スライダー７１内の矩形開口７０の中に位置している。スライダー７１は各端部に単一歯７２、７３を有しており、内側縁７４が歯車６８に耐えるように配置されている。リング７５は、スライダー７１を囲んでいる。リング７５は、その最も内側の表面上に多数の歯７６を備えており、その外側に面する表面に番号７７のセットを備えている。全ての構成要素が取付リング７８の上に取り付けられており、ハウジング６６上の突起７９が、前記構成要素を適当な位置に保つ取付リング７８の上で対応する突起８０に結合するようになっている。
【００５９】
図９Ｂに示されるようにタバコ装置が板６１に押し付けられるような使用において、図１１Ａに示される位置から図１１Ｂに示される位置までリング７５を移動させる歯車６８を回転させながら、縁６４が降りていく。スライダー７０上の歯７２が、リング７５上の対応する歯に協働し、その結果、リング７５を図１１Ｂに示される位置へ反時計回りにわずかに回転させる。タバコ装置を引っ張ることにより、縁６４が反対方向に歯車６８を回転させるように、板６１をバネ６２によって上方に駆動させ、それにより図１１Ｃに示される位置までスライダーを移動させ、図１１Ｃにおいて歯７３が時計回りに更にわずかにリング７５を回転させる。板６１に押し付けられ且つ板６１から引き離されるタバコ装置によって引き起こされる合成運動は、次の一続きの番号７７が窓６４に表示されるようにリング７５を進ませるのに十分である。したがって、この構成は、シリンダー５９内に残っている服用量の数の総計を提供することができる。
【００６０】
例えば、電子機構を有する別の服用量カウンターが、用いられても良い。
【００６１】
弁付き袋(bag-on-valve)システムも、補充小缶に加えることができる。弁付き袋システムは、溶接された袋を備えた噴霧器弁からなっている。弁付き袋システムを用いて、噴霧機内に、圧縮空気、圧縮酸素、圧縮窒素、又はその他の圧縮物が袋の外側にあり、袋の内部にある生成物上で高圧ガスとして作用する。これは、ニコチンのような活性成分が、より長い貯蔵寿命を得られるように、高圧ガス、好ましくは酸素から分離されることを可能にする。弁付き袋は、小缶内に配置され、ＥＰ吹き付けシステム又は電力容器のような製造業者によって供給されうるものであり、標準的な加圧小缶と同じ補充容量を運ぶことができる。
【図１】
2014000419.tif 000003
【図２Ａ】
2014000419.tif 000004
【図２Ｂ】
2014000419.tif 000005
【図３】
2014000419.tif 000006
【図４】
2014000419.tif 000007
【図５】
2014000419.tif 000008
【図６】
2014000419.tif 000009
【図７】
2014000419.tif 000010
【図８】
2014000419.tif 000011
【図９Ａ】
2014000419.tif 000012
【図９Ｂ】
2014000419.tif 000013
【図１０】
2014000419.tif 000014
【図１１Ａ】
2014000419.tif 000015
【図１１Ｂ】
2014000419.tif 000016
【図１１Ｃ】
2014000419.tif 000017
【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
円筒状のタバコのような形状を有する模擬タバコと、
前記模擬タバコのための補充ガスを含んでおり、且つ前記模擬タバコが補充される位置とは異なる位置で前記模擬タバコを選択的に保持するための手段を備えており、且つ高さが８０から１２０ｍｍであり、幅が２０から６０ｍｍであり、深さが１５から３０ｍｍである補充ハウジングを備えている、補充装置と、
を備えている、模擬喫煙装置。
【請求項２】
請求項１に記載の模擬喫煙装置のための補充装置であって、
前記補充装置が、前記模擬喫煙装置のための補充ガスを含んでおり、且つ前記模擬タバコが補充される位置とは異なる位置で前記模擬タバコを選択的に保持するための手段を備えている、補充装置。
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
円筒状のタバコのような形状を有する模擬タバコと、
前記模擬タバコのための補充ガスを含んでおり、且つ前記模擬タバコが補充される位置とは異なる位置で前記模擬タバコを選択的に保持するための手段を備えており、且つ高さが８０から１２０ｍｍであり、幅が２０から６０ｍｍであり、深さが１５から３０ｍｍである補充ハウジングを備えている、補充装置と、
を備えている、模擬喫煙装置。
【請求項２】
補充のための逆止弁と、
出口弁としての呼吸活性化弁とをさらに備えている、請求項１に記載の模擬喫煙装置。
【請求項３】
前記補充ハウジングは、前記補充ハウジング内に全体的に収納される、前記模擬タバコを選択的に保持するための手段を備えている、請求項１または２に記載の模擬喫煙装置。
【請求項４】
前記補充装置は、立方形のタバコ箱状の形状のハウジングを有している、請求項１から３のいずれか１つに記載の模擬喫煙装置。
【請求項５】
請求項１から４のいずれか１つに記載の模擬喫煙装置のための補充装置であって、
前記補充装置が、前記模擬喫煙装置のための補充ガスを含んでおり、且つ前記模擬タバコが補充される位置とは異なる位置で前記模擬タバコを選択的に保持するための手段を備えている、補充装置。
【外国語明細書】
2014000419.tif 000018
2014000419.tif 000019
2014000419.tif 000020
2014000419.tif 000021
2014000419.tif 000022
2014000419.tif 000023
2014000419.tif 000024
2014000419.tif 000025
2014000419.tif 000026
2014000419.tif 000027
2014000419.tif 000028
2014000419.tif 000029
2014000419.tif 000030
2014000419.tif 000031
2014000419.tif 000032
2014000419.tif 000033
2014000419.tif 000034
2014000419.tif 000035
2014000419.tif 000036
2014000419.tif 000037
2014000419.tif 000038
2014000419.tif 000039
2014000419.tif 000040
2014000419.tif 000041
2014000419.tif 000042
2014000419.tif 000043
2014000419.tif 000044
2014000419.tif 000045
2014000419.tif 000046
2014000419.tif 000047